(57)【要約】【課題】作業性よく、ゲーム機の本体枠に対し中枠を開閉可能に組み付け、中枠に対し透明板枠を開閉可能に組み付けることができるゲーム機用上部蝶番を提供する。【解決手段】ゲーム機の本体枠の上角部に固定される固定部１と、固定部に上軸５と上軸受部１７との嵌合により回動可能に支持され、ゲーム機の中枠の上角部に取り付けられる可動部１０と、を備える。固定部の水平突出部４の下面に上軸５が下向きに突設される。可動部１０の水平板部１１上に軸受カバー部１２が取り付けられ、軸受案内溝１６がそこに形成される。軸受案内溝には、上軸５を受ける上軸受部１７が設けられる。可動部１０の水平板部１１の下面に下軸２０が下向きに突設される。ゲーム機の中枠の前面側に回動可能に支持される透明板枠の上角部に、下軸２０を受ける下軸受部２１が取り付けられる。【選択図】図４
2020014543.tif 000002
【特許請求の範囲】
【請求項１】
ゲーム機の本体枠の上角部に固定される固定部と、該固定部に上軸と上軸受部との嵌合により回動可能に支持され、該ゲーム機の中枠の上角部に取り付けられる可動部と、を備えたゲーム機用上部蝶番において、
該固定部の水平取付部には水平突出部が前方に突設され、該水平突出部の下面に上軸が下向きに突設され、該可動部には水平板部の側部を下側に垂直に曲折して垂直取付部が形成されるとともに、該垂直取付部と反対側の側部に垂直側壁部が設けられ、該水平板部上に軸受カバー部が取り付けられ、軸受案内溝がその端部を該垂直側壁部に開口して形成されるとともに、該軸受案内溝の奥に該上軸を受ける該上軸受部が設けられ、該軸受カバー部内に、該上軸受部内で該上軸を保持する板バネが取り付けられ、
該可動部の該水平板部の下面に下軸が下向きに突設され、該ゲーム機の該中枠の前面側に回動可能に支持される透明板枠の上角部に、該下軸を受ける下軸受部が取り付けられ、該下軸受部には該下軸を導入する案内部が設けられたことを特徴とするゲーム機用上部蝶番。
【請求項２】
前記可動部の前記軸受カバー部内に、前記板バネを解除方向に動かすための解除レバーが設けられたことを特徴とする請求項１記載のゲーム機用上部蝶番。
【請求項３】
前記板バネは、バネ性の帯状金属板を曲折して形成され、該板バネの元部が前記水平板部上に固定され、該板バネの先端部が前記上軸を保持するように曲折されたことを特徴とする請求項１記載のゲーム機用上部蝶番。
【請求項４】
前記下軸受部は、ケースと、該ケース内に上下摺動可能に設けられた上下動軸受部と、該上下動軸受部を上方に付勢するバネ部材とを備え、該上下動軸受部には、軸孔が上下方向に設けられるとともに、該軸孔の側部に連通して前記案内部が設けられたことを特徴とする請求項１記載のゲーム機用上部蝶番。
【請求項５】
前記案内部は、前記ケースに設けた開口部から外側に突出して設けられ、傾斜面を有した案内溝が該案内部に設けられたことを特徴とする請求項４記載のゲーム機用上部蝶番。
【発明の詳細な説明】
【技術分野】
【０００１】
本発明は、パチンコ機、スロットマシン等のゲーム機の本体枠に対し中枠を開閉可能に取り付け、中枠に対し透明板枠を開閉可能に取り付けるゲーム機用上部蝶番に関する。
【背景技術】
【０００２】
パチンコ機等のゲーム機は、通常、中枠が本体枠に対し開閉自在に取り付けられ、中枠に対し透明板枠が開閉自在に取り付けられる。このため、通常、中枠と本体枠間に、中枠開閉用の蝶番が取り付けられ、中枠と透明板枠間に、透明板枠用の蝶番が取り付けられる。
【０００３】
しかし、ゲーム機のように、大型で重量の重い縦型の機器を開閉する場合、上部と下部に蝶番を取り付けて開閉可能に荷重を保持する必要があり、そのため、ゲーム機の蝶番は、中枠と本体枠の上部と下部の角部に、各々、蝶番と固定部と可動部と中枠開閉用の蝶番を取り付け、中枠と透明板枠の上部と下部に、透明板枠用の蝶番の固定部と可動部を、別個に製作し、取り付けていた。
【０００４】
このため、ゲーム機用蝶番を構成する部品の点数が増大し、各蝶番の固定部と可動部を、所定の位置に、位置合わせして、固定する取付作業が煩雑化する課題があった。
【０００５】
そこで、本発明者らは、下記特許文献１において、ゲーム機の本体枠の上角部に固定される固定部と、固定部にピンと軸受部との嵌合により回動可能に支持され、ゲーム機の中枠の上角部に取り付けられる可動部と、ゲーム機の中枠の前面側に回動可能に支持される透明板枠の上角部に取り付けられる透明板枠上ピンと、を備えたゲーム機用上部蝶番を提案した。
【先行技術文献】
【特許文献】
【０００６】
【特許文献１】特開２００６−１７５１７８号公報
【発明の概要】
【発明が解決しようとする課題】
【０００７】
この上部蝶番は、固定部の水平取付板に、水平突出部が前方に突設され、水平突出部の下面にピンが下向きに突設され、可動部には水平板部と下水平板部とが垂直側壁部を介して平行に一体形成され、水平板部にピンが嵌挿される半円形状の上軸受部が設けられ、上軸受部に連通する溝状の上案内路が水平板部にその端部を垂直側壁部に開口して形成される。
【０００８】
さらに、下水平板部に透明枠上ピンが嵌挿される半円形状の下軸受部が設けられ、下軸受部に連通する溝状の下案内路が下水平板部にその端部を開口して形成される。略Ｕ字状に曲折されて上板部と下板部を有した板ばねが水平板部と下水平板部との間に取り付けられ、板ばねの上板部の先端に上先端軸受部が形成される。
【０００９】
さらに、板ばねの下板部の先端に下先端軸受部が形成され、上案内路から先端の上軸受部に達したピンが板ばねの上先端軸受部と上軸受部との間に挟持されて保持され、下案内路から先端の下軸受部に達した透明板枠上ピンが板ばねの下先端軸受部と下軸受部との間に挟持されて保持される。
【００１０】
この上部蝶番は、本体枠に対し中枠を装着する場合、中枠の下部蝶番を嵌め、下部蝶番を支点にして中枠を少し水平方向に傾けながら、固定部のピンを可動部の上案内路に通し、その端部の上軸受部に嵌合させるため、重量のある中枠を、本体枠に対し蝶番を介して、取り付けることができる。同様に、中枠に対し透明板枠を装着する場合、透明板枠の下部蝶番を嵌め、下部蝶番を支点にして透明板枠を少し水平方向に傾けながら、透明板枠上ピンを可動部の下軸受部に下案内路を通して嵌合させるため、透明板枠を中枠に対し蝶番を介して取り付けることができる。
【００１１】
しかしながら、透明板枠の構造上、透明板枠上ピンを、透明板枠の上可動部に突設することになるが、透明板枠の構造上、透明板枠上ピンを突設できない場合があり、また、組み付け作業時、透明板枠を微妙に傾けながら、透明板枠の上可動部上に突設された上ピンを、視認しにくい位置で、下案内路から下軸受部に嵌合させるように動かして嵌め込むため、組み付けの作業性が悪く、改良が要望されていた。
【００１２】
本発明は、上記の点に鑑みてなされたもので、作業性よく、ゲーム機の本体枠に対し中枠を開閉可能に組み付け、中枠に対し透明板枠を開閉可能に組み付けることができるゲーム機用上部蝶番を提供することを目的とする。
【課題を解決するための手段】
【００１３】
上記目的を達成するために、本発明のゲーム機用上部蝶番は、ゲーム機の本体枠の上角部に固定される固定部と、該固定部に上軸と上軸受部との嵌合により回動可能に支持され、該ゲーム機の中枠の上角部に取り付けられる可動部と、を備えたゲーム機用上部蝶番において、
該固定部の水平取付部には水平突出部が前方に突設され、該水平突出部の下面に上軸が下向きに突設され、該可動部には水平板部の側部を下側に垂直に曲折して垂直取付部が形成されるとともに、該垂直取付部と反対側の側部に垂直側壁部が設けられ、該水平板部上に軸受カバー部が取り付けられ、軸受案内溝がその端部を該垂直側壁部に開口して形成されるとともに、該軸受案内溝の奥に該上軸を受ける該上軸受部が設けられ、該軸受カバー部内に、該上軸受部内で該上軸を保持する板バネが取り付けられ、
該可動部の該水平板部の下面に下軸が下向きに突設され、該ゲーム機の該中枠の前面側に回動可能に支持される透明板枠の上角部に、該下軸を受ける下軸受部が取り付けられ、該下軸受部には該下軸を導入する案内部が設けられたことを特徴とする。
【００１４】
この発明のゲーム機用上部蝶番によれば、ゲーム機の本体枠に対し中枠を開閉可能に取り付ける際、中枠の上角部を動かしながら、本体枠側の固定部の上軸に、軸受案内溝を合わせるようにすれば、上軸を容易に上軸受部に嵌め込むことができ、ゲーム機の中枠、透明板枠を、蝶番を介して簡単に組み付けることができ、組付け作業性を向上させることができる。また、可動部に使用される板バネは、小型で簡単に形成することができ、安価な製造コストで製造することができる。さらに、中枠に対し透明板枠を開閉可能に取り付ける際、透明板枠の上角部を動かしながら、下軸受部の案内部に下軸を合わせるようにすれば、透明板枠の上角部を、蝶番の下軸と下軸受部を介して、容易に嵌め込むことができる。
【００１５】
ここで、上記可動部の軸受カバー部内には、上記板バネを解除方向に動かすための解除レバーを設けることが好ましい。
【００１６】
またここで、上記板バネは、バネ性の帯状金属板を曲折して形成され、その元部が水平板部上に固定され、その先端部が上軸を保持するように曲折されて構成することができる。
【００１７】
またここで、上記下軸受部には、ケースと、上下動軸受部がケース内で上下摺動可能に設けられ、該上下動軸受部には、軸孔が上下方向に設けられ、該軸孔の側部に案内溝が軸孔に連通して設けられ、該上下動軸受部を上方に付勢するバネ部材を設けた構成とすることができる。
【００１８】
またここで、上記案内部は、上記ケースに設けた開口部から外側に突出して設けられ、傾斜面を有した案内溝を、案内部に設ける構成とすることができる。
【発明の効果】
【００１９】
この発明のゲーム機用上部蝶番によれば、作業性よく、ゲーム機の本体枠に対し中枠を開閉可能に組み付け、中枠に対し透明板枠を開閉可能に、簡単に組み付けることができる。
【図面の簡単な説明】
【００２０】
【図１】本発明の上部蝶番の一実施形態を示し、（ａ）はその固定部の斜視図、（ｂ）は下方からの同固定部の斜視図である。
【図２】（ａ）は上部蝶番の可動部の斜視図、（ｂ）は下方から見た同可動部の斜視図である。
【図３】（ａ）は下軸受部の斜視図、（ｂ）はその下軸受部の分解斜視図である。
【図４】固定部、可動部、及び下軸受部を、上下に配置した状態の斜視図である。
【図５】可動部の分解斜視図である。
【図６】（ａ）は可動部の軸受カバー部の分解斜視図、（ｂ）は見る方向を変えたときの分解斜視図である。
【図７】可動部の垂直側壁部側から見た斜視図である。
【図８】下軸受部の斜視図である。
【図９】可動部を固定部に組み付ける際の斜視図である。
【図１０】中枠の可動部を、固定部の水平取付部に対し開閉可能に組み付けた状態の斜視図である。
【図１１】本体枠の固定部に中枠の可動部を組み付け、透明板枠の下軸受部を可動部の下面の下軸に嵌合させる際の斜視図である。
【発明を実施するための形態】
【００２１】
以下、本発明の実施の形態を図面に基づいて説明する。図１はパチンコ機などに使用されるゲーム機用上部蝶番の固定部１の斜視図を示し、図２はその可動部１０の斜視図を示し、図３は下軸受部２１の斜視図を示し、図５は可動部１０の分解斜視図を示している。
【００２２】
上部蝶番の固定部１は、ゲーム機の本体枠３０の上角部に固定される部分で、図１に示すように、鋼板を正面視でＬ字形（直角）に曲折して垂直取付部２と水平取付部３が形成されている。垂直取付部２と水平取付部３には取付孔が穿設され、この部分がゲーム機の本体枠３０の上角部の外側に接して固定ねじで固定される。水平取付部３の前部には水平突出部４が前方に突出して形成されている。
【００２３】
水平突出部４の先端部下面に、上軸５が下向きに突設される。上軸５は、例えば、水平突出部４に穿設した孔に頭付きピンを下向き嵌入し、その周縁部をかしめて垂直に固定される。この下向きの上軸５を突設した水平突出部４の下部に、可動部１０が進入し回動可能に嵌合される。また、水平突出部４上には、ビード４ａが補強用に形成される。
【００２４】
可動部１０は、本体枠３０に対し可動的に保持される、ゲーム機の中枠３１の上角部に取り付けられる部分で、図５，６に示すように、基板となる水平板部１１と垂直取付部１４が鋼板を曲折して形成され、水平板部１１の延設部分が背面側に曲折されて垂直取付部１４が背面側に形成されている。また、水平板部１１の前部から側部にかけて、垂直側壁部１３が縁部を囲うように上側に立設されている。垂直側壁部１３の一部に、固定部１の上軸５が進入するための、導入口１３ａが開口する。
【００２５】
さらに、図５に示すように、水平板部１１上に、上軸受部１７と軸受案内溝１６を設けた軸受カバー部１２が、固定リベット１８により取り付けられ、固定部１の上軸５が保持される上軸受部１７は、軸受案内溝１６の内側奥に半円形状の孔として形成される。上軸受部１７の軸受案内溝１６は湾曲して導入口１３ａに連通するように形成され、導入口１３ａから湾曲する軸受案内溝１６を経て上軸受部１７に達するように、軸受案内溝１６は形成される。
【００２６】
また、水平板部１１上には、上軸受部１７に位置する上軸５を保持する板バネ１５がその元部１５ａを固定リベットで固定して取り付けられる。さらに、図５，７に示す如く、水平板部１１の下面に、下軸２０が下側に向けて突設さされる。下軸２０は、中枠３１に対し透明板枠３２を回動可能に軸支する軸を構成する。透明板枠３２は、パチンコ機などのゲーム機の遊技盤を覆うように、その中枠３１の前面に、開閉可能に装着される板ガラス或は透明合成樹脂板を内側に設けた扉である。
【００２７】
板バネ１５は、図５に示すように、帯状のバネ金属板から形成され、元部１５ａから立ち上がる部分を、略Ｕ字状に曲折し、その先端に、先端部１５ｂが上軸５に当接して保持するように、略くの字状に曲折して形成される。板バネ１５は、水平板部１１上で、可動部１０の軸受案内溝１６に隣接して配置され、その先端部１５ｂは、軸受案内溝１６内に進入し、軸受案内溝１６内に上軸５が進入し、端部の上軸受部１７まで達したとき、上軸５を上軸受部１７内に保持するように構成される。さらに、板バネ１５に隣接して、板バネ１５の軸受動作を解除する解除レバー１９が、水平板部１１上に、解除操作可能に取り付けられる。
【００２８】
解除レバー１９は、図５、６に示すように、リベット等により回動操作可能に、水平板部１１上に軸支され、解除レバー１９の先端部を押すことにより、解除レバー１９の末端部が板バネ１５を押し、上軸５から板バネ１５を離すように作用する構造である。図７に示す如く、上記軸受カバー部１２は、板バネ１５及び解除レバー１９を覆うように、固定リベット１８により水平板部１１上に固定される。図７のように、解除レバー１９の先端部は、軸受カバー部１２から露出し、解除操作が可能となっている。
【００２９】
上記透明板枠３２の上左角部に、図１１に示すように、下軸受部２１が上記下軸２０の軸受部として取り付けられる。下軸受部２１は、図３に示すように、立方体の、隣接する３面を構成する水平板部２２と垂直側壁部２３，２４が取付部として設けられる。水平板部２２と垂直側壁部２３，２４の内側に、有底円筒型のケース２７が取り付けられ、ケース２７内に、上下動軸受部２５が上下摺動可能に設けられる。水平板部２２は取付部の水平面を構成し、垂直側壁部２３と垂直側壁部２４は、取付部の垂直面を構成し、垂直側壁部２３と垂直側壁部２４には、透明板枠３２に固定するための固定孔が設けられる。下軸受部２１は、この水平板部２２と垂直側壁部２３，２４を介して、透明板枠３２の左上角部に固定される。
【００３０】
上下動軸受部２５の軸芯位置には、軸孔２５ａが上下方向に設けられ、軸孔２５ａの側部に、案内部２８が軸孔２５ａに連通し且つ外側に突出して設けられる。軸孔２５ａの内径は、上軸５を嵌入させ円滑に回動保持可能に設定される。上下動軸受部２５の底部にバネ部材２６が設けられ、上下動軸受部２５は、ケース２７に対し上方に付勢される状態でケース内に収容される。バネ部材２６としてコイルばねが使用されるが、他のバネを用いることもできる。
【００３１】
ケース２７は、上部に突設した固定凸部２７ｂを、水平板部２２に設けた固定孔に差し込み、それをかしめて固定される。また、ケース２７の側部には、開口部２７ａが開口し、図８に示すように、その開口部２７ａから、上下動軸受部２５の案内部２８が上下動可能に突出する。案内部２８上には、傾斜面を有する案内溝２８ａが設けられる。案内溝２８ａの傾斜面は先端側に低くなる方向に傾斜する。また、案内溝２８ａの幅は、先端側に向けて広くなるように形成することができる。
【００３２】
透明板枠３２の組付け時、中枠３１側の可動部１０の下軸２０に対し、下軸受部２１を回動可能に組み付ける際、下軸受部２１を動かしながら、下軸２０を、上下動軸受部２５の案内部２８の案内溝２８ａから進入させる。このとき、下軸２０の下端が案内部２８を押し下げ、上下動軸受部２５はバネ部材２６を圧縮して下降し、下軸２０がその中央の軸孔２５ａの位置に達したとき、上下動軸受部２５がバネ部材２６の付勢力により上昇し、下軸２０が上下動軸受部２５の軸孔２５ａに嵌合して保持され、軸支されるようになっている。
【００３３】
上記構成の上部蝶番の固定部１は、図９に示すように、そのＬ字状に形成された垂直取付部２と水平取付部３をゲーム機の本体枠３０の左上角部の外側に当て、その取付孔と取付ねじを使用して、ゲーム機の本体枠３０の正面から向かって左角部外側に、その水平突出部４を前方に出した状態で固定される。その水平突出部４の下面に、上軸５が下方に向けて鉛直に突設されている。
【００３４】
一方、上部蝶番の可動部１０は、図９に示すように、ゲーム機の中枠３１の正面に向かって左上角部に、その垂直取付部１４を当て、水平板部１１を水平にし、上軸受部１７及び下軸２０の部分を、正面側に突き出すように固定される。この状態で、中枠３１に固定された可動部１０の水平板部１１上には、固定部側の上軸５を導入するための導入口１３ａが左側に位置し、上面に上軸受部１７が配設される。
【００３５】
一方、図示は省略されているが、ゲーム機の本体枠３０の下角部に、下部蝶番の固定部が取付られ、固定部はその水平取付板の突出端部にピンが上方に向けて垂直に固定され、更に、ゲーム機の中枠３１の下角部に、下部蝶番の可動部が取付られる。この可動部の水平取付板の突出端部に、軸受部となる軸受孔がピンを挿通可能に形成される。なお、下部蝶番においては、そのピンを可動部に設け、ピンが嵌る軸受部をその固定部に設けることもできる。
【００３６】
中枠３１を本体枠３０に対し、蝶番を介して開閉可能に装着する場合、先ず、中枠３１を持って下部蝶番の可動部の軸受孔を、本体枠３０側の固定部のピンに嵌め込む。軸受孔は鋼板に穿設した孔であり、ピンと孔の嵌め合いには多少の間隙があるため、中枠３１は多少傾動可能である。
【００３７】
次に、中枠３１を図９のように、約９０度に開いた状態とし、その下部蝶番を支点にして中枠３１を少し手前に傾けながら、固定部１の水平突出部４の下面に設けた上軸５を、可動部１０の水平板部１１上の導入口１３ａから軸受案内溝１６内に導入させるように、中枠３１つまり可動部１０を傾動させる。
【００３８】
このとき、固定部１の上軸５は、可動部１０の水平板部１１の導入口１３ａから軸受案内溝１６内に進入し、さらに上軸５が軸受案内溝１６内を移動すると、図１０のように、上軸５が溝奥の上軸受部１７に到達する。このとき、上軸５は板バネ１５の先端部１５ｂを撓ませて弾性変形させながら進入し、上軸受部１７に嵌入したとき、先端部１５ｂが元の位置に戻り、上軸５が上軸受部１７に保持され軸支された状態となる。
【００３９】
これにより、固定部１の上軸５が可動部１０側の上軸受部１７に回動可能に保持され、相対的に可動部１０が固定部１に対し上軸受部１７と上軸５を介して回動可能に組み付けられる。この状態は、本体枠３０に対し中枠３１を約９０度開いた状態であり、中枠３１を本体枠３０に対し閉じると、図１０のように、中枠３１は本体枠３０の前面を閉鎖するように閉じられる。
【００４０】
さらに、この状態で、中枠３１の前面に透明板枠３２を開閉可能に装着する。透明板枠３２の左上角部には、図１１に示すように、下軸受部２１が垂直側壁部２３，２４を介して取り付けられる。なお、図１１では、下軸受部２１の案内部２８が透明板枠３２の正面を向くように、下軸受部２１が固定されるが、下軸受部２１の案内部２８の向きは、中枠３１に透明板枠３２を着脱する際、作業を容易に行うことができるように、任意の向きに決めることができる。
【００４１】
このような透明板枠３２を中枠３１に対し組み付ける場合、透明板枠３２を持って、先ず、図示しない下部蝶番の可動部を中枠３１側の固定部に、ピンと軸受部との嵌合により嵌め込む。
【００４２】
次に、図１１に示すように、その下部蝶番を支点にして透明板枠３２を傾けながら、中枠３１に固定される可動部１０底部の下軸２０に、透明板枠３２上の下軸受部２１を近づけ、上下動軸受部２５の案内部２８を下軸２０の下端に当てるように動かす。
【００４３】
このとき、パチンコ機などのゲーム機では、大型化した透明板枠３２の陰になって、下軸２０の下端と案内部２８の位置が、作業者には、視認しにくいが、比較的幅の広い案内部２８の案内溝２８ａを有する下軸受部２１を動かして、下軸２０を案内溝２８ａに導入するに作業するため、下軸を動かして案内溝に入れる場合に比して、容易に下軸２０を軸孔２５ａに嵌め込むことができる。
【００４４】
このようにして、下軸２０が案内部２８の案内溝２８ａに進入し、下軸２０が中央に近づくに従って、上下動軸受部２５がケース２７内を、バネ部材２６を圧縮しながら下降し、下軸２０が中央の軸孔２５ａに達したとき、上下動軸受部２５がバネ部材２６の付勢力で上昇して元の位置に戻る。この状態で、下軸２０が上下動軸受部２５の軸孔２５ａに軸支された状態となり、下軸受部２１が下軸２０に対し回動可能に保持され、中枠３１に対する透明板枠３２の組み付けは完了する。このように、透明板枠３２の上部蝶番を中枠３１に対し簡単な操作で組み付けることができる。
【００４５】
一方、透明板枠３２を上部蝶番から外す場合、透明板枠３２を中枠３１に対し約９０度開いた状態で、ドライバの先端などで、案内部２８を押し下げて上下動軸受部２５を下降させつつ、透明板枠３２を傾動させる。これにより、下軸２０が軸孔２５ａから外れて案内溝２８ａ内に入り、そのまま案内溝２８ａを通して、下軸２０は上下動軸受部２５の外側に外れる。このようにして、透明板枠３２を上部蝶番から容易に外すことができる。
【００４６】
同様に、中枠３１を上部蝶番から外す場合、中枠３１を本体枠３０に対し約９０度開いた状態で、解除レバー１９を操作し、解除レバー１９の先端で板バネ１５を内側に押し、板バネ１５の先端部１５ｂを撓ませる。これにより、上軸５から板バネ１５の先端部１５ｂが離れ、上軸受部１７内の上軸５の保持が解除される。その状態で、上軸５は軸受案内溝１６内で自在に移動可能となり、可動部１０つまりの中枠３１を動かして、上軸５を軸受案内溝１６の導入口１３ａから外側に出される。このようにして、中枠３１を固定部１の上部蝶番から容易に外すことができる。
【００４７】
このように、ゲーム機の本体枠３０に対し中枠３１を開閉可能に取り付ける際、中枠３１の上角部を動かしながら、本体枠３０側の固定部１の上軸５に、軸受案内溝１６を合わせるようにすれば、上軸５を容易に上軸受部１７に嵌め込身軸支させることができ、組み付け作業性を向上させることができる。また、可動部に使用される板バネは、小型で簡単に形成することができ、安価な製造コストで製造することができる。さらに、中枠３１に対し透明板枠３２を開閉可能に取り付ける際、透明板枠３２の上角部を動かしながら、下軸受部２１の案内部２８に下軸２０を合わせるようにすれば、透明板枠３２の上角部を、下軸２０と下軸受部２１を介して、容易に嵌め込むことができる。
【符号の説明】
【００４８】
１      固定部
２      垂直取付部
３      水平取付部
４      水平突出部
４ａ    ビード
５      上軸
１０    可動部
１１    水平板部
１２    軸受カバー部
１３    垂直側壁部
１３ａ  導入口
１４    垂直取付部
１５    板バネ
１５ａ  元部
１５ｂ  先端部
１６    軸受案内溝
１７    上軸受部
１８    固定リベット
１９    解除レバー
２０    下軸
２１    下軸受部
２２    水平板部
２３    垂直側壁部
２４    垂直側壁部
２５    上下動軸受部
２５ａ  軸孔
２６    バネ部材
２７    ケース
２７ａ  開口部
２７ｂ  固定凸部
２８    案内部
２８ａ  案内溝
３０    本体枠
３１    中枠
３２    透明板枠
【図１】
2020014543.tif 000003
【図２】
2020014543.tif 000004
【図３】
2020014543.tif 000005
【図４】
2020014543.tif 000006
【図５】
2020014543.tif 000007
【図６】
2020014543.tif 000008
【図７】
2020014543.tif 000009
【図８】
2020014543.tif 000010
【図９】
2020014543.tif 000011
【図１０】
2020014543.tif 000012
【図１１】
2020014543.tif 000013